(57)【要約】【課題】負荷のグループの構成を変更する作業をより簡易に行えることができるグループ設定方法、設定システム、負荷制御システム及びプログラムを提供する。【解決手段】グループ設定方法は、第１送信ステップと、第１受信ステップと、第２送信ステップと、第２受信ステップと、第３送信ステップと、処理ステップとを含む。第１送信ステップは、第１負荷に第１要求情報を無線通信で送信する。第１受信ステップは、第１識別子を含む第１応答情報を無線通信で受信する。第２送信ステップは、第２負荷に第２要求情報を無線通信で送信する。第２受信ステップは、第２識別子を含む第２応答情報を無線通信で受信する。第３送信ステップは、第１識別子と第２識別子との組を送信する。処理ステップは、第１識別子と第２識別子とを用いて、第２負荷が属する第２グループに第１負荷が属するように、設定情報を更新する。【選択図】図１
2020053808.tif 000002
【特許請求の範囲】
【請求項１】
複数のグループを含む設定情報を記憶し、複数のグループのうちいずれかのグループに各々が属する複数の負荷に対して前記複数のグループごとに制御するコントローラと、設定システムとを備える負荷制御システムで用いられるグループ設定方法であって、
前記設定システムが、前記複数の負荷に含まれる第１負荷に、前記第１負荷の識別子である第１識別子を要求する第１要求情報を無線通信で送信する第１送信ステップと、
前記設定システムが、前記第１要求情報に対応し、かつ前記第１識別子を含む第１応答情報を無線通信で受信する第１受信ステップと、
前記設定システムが、前記複数のグループに含まれる負荷であって前記第１負荷とは異なる第２負荷に、前記第２負荷の識別子である第２識別子を要求する第２要求情報を無線通信で送信する第２送信ステップと、
前記設定システムが、前記第２要求情報に対応し、かつ前記第２識別子を含む第２応答情報を無線通信で受信する第２受信ステップと、
前記設定システムが、前記第１識別子と前記第２識別子との組を、前記コントローラに送信する第３送信ステップと、
前記コントローラが、前記第１識別子と前記第２識別子とを用いて、前記第１負荷が前記複数のグループのうち前記第１負荷が属する第１グループには属さず、前記第２負荷が属する第２グループに属するように、前記設定情報を更新する処理ステップとを含む、
グループ設定方法。
【請求項２】
前記第１送信ステップ及び前記第１受信ステップは、複数の前記第１負荷ごとに繰り返され、
前記第３送信ステップは、前記複数の第１負荷にそれぞれ対応する複数の前記第１識別子と、前記第２識別子との組を、前記コントローラに送信し、
前記処理ステップは、前記複数の第１識別子と前記第２識別子とを用いて、前記複数の第１負荷のすべてが前記第２グループに属するように、前記設定情報を更新する
請求項１に記載のグループ設定方法。
【請求項３】
前記第１送信ステップ及び前記第２送信ステップで行う無線通信の第１通信方式と、前記第１受信ステップ及び前記第２受信ステップで行う無線通信の第２通信方式とは、異なる方式である、
請求項１又は２に記載のグループ設定方法。
【請求項４】
前記第１要求情報及び前記第２要求情報のそれぞれのデータ量は、前記第１応答情報及び前記第２応答情報のそれぞれのデータ量よりも少なく、
前記第１通信方式と、前記第２通信方式とは、送受信されるデータのデータ量に応じて異なっている、
請求項３に記載のグループ設定方法。
【請求項５】
前記第１通信方式による無線通信の指向性は、前記第２通信方式による無線通信の指向性よりも高い、
請求項３又は４に記載のグループ設定方法。
【請求項６】
前記第１通信方式は、赤外線を用いた通信方法である、
請求項５に記載のグループ設定方法。
【請求項７】
複数のグループを含む設定情報を記憶し、複数のグループのうちいずれかのグループに各々が属する複数の負荷に対して前記複数のグループごとに制御するコントローラと、設定システムとを備える負荷制御システムで用いられるグループ設定方法であって、
前記設定システムが、前記複数の負荷に含まれる又は前記複数の負荷に含まれない負荷であって設定対象の負荷に、前記設定対象の負荷の識別子を要求する要求情報を無線通信で送信する第１送信ステップと、
前記設定システムが、前記要求情報に対応し、かつ前記識別子を含む応答情報を無線通信で受信する受信ステップと、
前記設定システムが、前記識別子を前記コントローラに送信する第２送信ステップと、
前記コントローラが、前記識別子を用いて、前記負荷が属し、前記設定情報に含まれる新たなグループを生成する処理ステップとを含む、
グループ設定方法。
【請求項８】
前記第１送信ステップ及び前記受信ステップは、複数の前記設定対象の負荷ごとに繰り返され、
前記第２送信ステップは、前記複数の設定対象の負荷にそれぞれ対応する複数の前記識別子を前記コントローラに送信し、
前記処理ステップは、前記複数の識別子を用いて、前記複数の設定対象の負荷のすべてが属する前記新たなグループを生成する、
請求項７に記載のグループ設定方法。
【請求項９】
複数のグループを含む設定情報を記憶し、複数のグループのうちいずれかのグループに各々が属する複数の負荷に対して前記複数のグループごとに制御するコントローラと、設定システムとを備える負荷制御システムで用いられるグループ設定方法であって、
前記設定システムが、前記複数の負荷に含まれない第１負荷に、前記第１負荷の識別子である第１識別子を要求する第１要求情報を無線通信で送信する第１送信ステップと、
前記設定システムが、前記第１要求情報に対応し、かつ前記第１識別子を含む第１応答情報を無線通信で受信する第１受信ステップと、
前記設定システムが、前記複数のグループに含まれる第２負荷に、前記第２負荷の識別子である第２識別子を要求する第２要求情報を無線通信で送信する第２送信ステップと、
前記設定システムが、前記第２要求情報に対応し、かつ前記第２識別子を含む第２応答情報を無線通信で受信する第２受信ステップと、
前記設定システムが、前記第１識別子と前記第２識別子との組を、前記コントローラに送信する第３送信ステップと、
前記コントローラが、前記第１識別子と前記第２識別子とを用いて、前記第２負荷が属するグループに前記第１負荷が属するように、前記設定情報を更新する処理ステップとを、含む、
グループ設定方法。
【請求項１０】
複数のグループを含む設定情報を記憶し、かつ複数のグループのうちいずれかのグループに各々が属する複数の負荷に対して、前記複数のグループごとに制御するコントローラ及び前記複数の負荷と通信可能な設定システムであって、
前記複数の負荷に含まれる第１負荷に、前記第１負荷の識別子である第１識別子を要求する第１要求情報を無線通信で送信する第１送信部と、
前記第１識別子を含む第１応答情報を無線通信で受信する第１受信部と、
前記複数のグループに含まれる負荷であって前記第１負荷とは異なる第２負荷に、前記第２負荷の識別子である第２識別子を要求する第２要求情報を無線通信で送信する第２送信部と、
前記第２識別子を含む第２応答情報を無線通信で受信する第２受信部と、
前記第１負荷が前記複数のグループのうち前記第１負荷が属する第１グループには属さず、前記第２負荷が属する第２グループに属するように、前記コントローラに前記設定情報を更新させるために、前記第１識別子と前記第２識別子との組を、前記コントローラに送信する第３送信部とを備える、
設定システム。
【請求項１１】
請求項１０に記載の設定システムと、前記コントローラとを備える負荷制御システムであって、
前記コントローラは、
前記設定システムが備える前記第３送信部が送信した前記第１負荷の第１識別子と前記第２負荷の第２識別子とを用いて、前記第１負荷が前記複数のグループのうち前記第１負荷が属する第１グループには属さず、前記第２負荷が属する第２グループに属するように、前記設定情報を更新する処理部を備える、
負荷制御システム。
【請求項１２】
請求項１〜９のいずれかに記載のグループ設定方法を、コンピュータに実行させるためのプログラム。
【発明の詳細な説明】
【技術分野】
【０００１】
本開示は、一般にグループ設定方法、設定システム、負荷制御システム及びプログラムに関し、より詳細にはグループ単位で負荷を制御するためのグループ設定方法、設定システム、負荷制御システム及びプログラムに関する。
【背景技術】
【０００２】
従来、グループ単位で照明器具（負荷）を制御するために、複数の照明器具をグループ分けする技術が知られている（例えば、特許文献１参照）。
【０００３】
特許文献１で記載されている照明システムは、複数の照明器具と端末装置とを備える。端末装置は、照明器具のそれぞれの設置場所に関する少なくとも一つの属性を示す属性情報を含む設定情報を外部から取得する。端末装置は、操作者との対話に従って、照明器具のそれぞれに、取得した設定情報に含まれる属性情報が示す少なくとも一つの属性のいずれかを対応づけることで、複数の照明器具のグループ分けする。
【先行技術文献】
【特許文献】
【０００４】
【特許文献１】特開２０１７−１６２７１９号公報
【発明の概要】
【発明が解決しようとする課題】
【０００５】
特許文献１では、設定情報が取得された後、操作者（作業者）は、端末装置との対話により複数の照明器具（負荷）のグループ分けを行っている。作業者は、作業に時間が無い場合等には、この対話が煩わしく感じることがある。そのため、負荷のグループの構成を変更する際には、作業者は、より簡易に作業を行えることを望んでいる。
【０００６】
本開示は上記課題に鑑みてなされ、負荷のグループの構成を変更する作業をより簡易に行えることができるグループ設定方法、設定システム、負荷制御システム及びプログラムを提供することを目的とする。
【課題を解決するための手段】
【０００７】
本開示に係る一態様のグループ設定方法は、負荷制御システムで用いられる。前記負荷制御システムは、複数のグループを含む設定情報を記憶し、複数のグループのうちいずれかのグループに各々が属する複数の負荷に対して前記複数のグループごとに制御するコントローラと、設定システムとを備える。前記グループ設定方法は、第１送信ステップと、第１受信ステップと、第２送信ステップと、第２受信ステップと、第３送信ステップと、処理ステップとを含む。前記第１送信ステップは、前記設定システムが、前記複数の負荷に含まれる第１負荷に、前記第１負荷の識別子である第１識別子を要求する第１要求情報を無線通信で送信する。前記第１受信ステップは、前記設定システムが、前記第１要求情報に対応し、かつ前記第１識別子を含む第１応答情報を無線通信で受信する。前記第２送信ステップは、前記設定システムが、前記複数のグループに含まれる負荷であって前記第１負荷とは異なる第２負荷に、前記第２負荷の識別子である第２識別子を要求する第２要求情報を無線通信で送信する。前記第２受信ステップは、前記設定システムが、前記第２要求情報に対応し、かつ前記第２識別子を含む第２応答情報を無線通信で受信する。前記第３送信ステップは、前記設定システムが、前記第１識別子と前記第２識別子との組を、前記コントローラに送信する。前記処理ステップは、前記コントローラが、前記第１識別子と前記第２識別子とを用いて、前記第１負荷が前記複数のグループのうち前記第１負荷が属する第１グループには属さず、前記第２負荷が属する第２グループに属するように、前記設定情報を更新する。
【０００８】
本開示に係る一態様のグループ設定方法は、負荷制御システムで用いられる。前記負荷制御システムは、複数のグループを含む設定情報を記憶し、複数のグループのうちいずれかのグループに各々が属する複数の負荷に対して前記複数のグループごとに制御するコントローラと、設定システムとを備える。前記グループ設定方法は、第１送信ステップと、受信ステップと、第２送信ステップと、処理ステップとを含む。前記第１送信ステップは、前記設定システムが、前記複数の負荷に含まれる又は前記複数の負荷に含まれない負荷であって設定対象の負荷に、前記設定対象の負荷の識別子を要求する要求情報を無線通信で送信する。前記受信ステップは、前記設定システムが、前記要求情報に対応し、かつ前記識別子を含む応答情報を無線通信で受信する。前記第２送信ステップは、前記設定システムが、前記識別子を前記コントローラに送信する。前記処理ステップは、前記コントローラが、前記識別子を用いて、前記負荷が属し、前記設定情報に含まれる新たなグループを生成する。
【０００９】
本開示に係る一態様のグループ設定方法は、負荷制御システムで用いられる。前記負荷制御システムは、複数のグループを含む設定情報を記憶し、複数のグループのうちいずれかのグループに各々が属する複数の負荷に対して前記複数のグループごとに制御するコントローラと、設定システムとを備える。前記グループ設定方法は、第１送信ステップと、第１受信ステップと、第２送信ステップと、第２受信ステップと、第３送信ステップと、処理ステップとを含む。前記第１送信ステップは、前記設定システムが、前記複数の負荷に含まれない第１負荷に、前記第１負荷の識別子である第１識別子を要求する第１要求情報を無線通信で送信する。前記第１受信ステップは、前記設定システムが、前記第１要求情報に対応し、かつ前記第１識別子を含む第１応答情報を無線通信で受信する。前記第２送信ステップは、前記設定システムが、前記複数のグループに含まれる第２負荷に、前記第２負荷の識別子である第２識別子を要求する第２要求情報を無線通信で送信する。前記第２受信ステップは、前記設定システムが、前記第２要求情報に対応し、かつ前記第２識別子を含む第２応答情報を無線通信で受信する。前記第３送信ステップは、前記設定システムが、前記第１識別子と前記第２識別子との組を、前記コントローラに送信する。前記処理ステップは、前記コントローラが、前記第１識別子と前記第２識別子とを用いて、前記第２負荷が属するグループに前記第１負荷が属するように、前記設定情報を更新する。
【００１０】
本開示に係る一態様の設定システムは、複数のグループを含む設定情報を記憶し、かつ複数のグループのうちいずれかのグループに各々が属する複数の負荷に対して、前記複数のグループごとに制御するコントローラ及び前記複数の負荷と通信可能である。前記設定システムは、第１送信部と、第１受信部と、第２送信部と、第２受信部と、第３送信部とを備える。前記第１送信部は、前記複数の負荷に含まれる第１負荷に、前記第１負荷の識別子である第１識別子を要求する第１要求情報を無線通信で送信する。前記第１受信部は、前記第１識別子を含む第１応答情報を無線通信で受信する。前記第２送信部は、前記複数のグループに含まれる負荷であって前記第１負荷とは異なる第２負荷に、前記第２負荷の識別子である第２識別子を要求する第２要求情報を無線通信で送信する。前記第２受信部は、前記第２識別子を含む第２応答情報を無線通信で受信する。前記第３送信部は、前記第１負荷が前記複数のグループのうち前記第１負荷が属する第１グループには属さず、前記第２負荷が属する第２グループに属するように、前記コントローラに前記設定情報を更新させるために、前記第１識別子と前記第２識別子との組を、前記コントローラに送信する。
【００１１】
本開示に係る一態様の負荷制御システムは、前記設定システムと、前記コントローラとを備える。前記コントローラは、処理部を備える。前記処理部は、前記設定システムが備える前記第３送信部が送信した前記第１負荷の第１識別子と前記第２負荷の第２識別子とを用いて、前記第１負荷が前記複数のグループのうち前記第１負荷が属する第１グループには属さず、前記第２負荷が属する第２グループに属するように、前記設定情報を更新する。
【００１２】
本開示に係る一態様のプログラムは、上述したいずれかのグループ設定方法を、コンピュータに実行させるためのプログラムである。
【発明の効果】
【００１３】
本開示によると、負荷のグループの構成を変更する作業をより簡易に行えることができる。
【図面の簡単な説明】
【００１４】
【図１】図１は、一態様に係る負荷制御システムとしての照明制御システムの構成を示すシステム構成図である。
【図２】図２は、同上の照明制御システムに含まれる設定システムの構成を示すブロック図である。
【図３】図３は、変更モード時における同上の照明制御システムの動作について説明するシーケンス図である。
【図４】図４Ａは、変更モード時において、グループ変更前のグループの構成の一例を示す図である。図４Ｂは、変更モード時において、グループ変更後のグループの構成の一例を示す図である。
【図５】図５は、追加モード時における同上の照明制御システムの動作について説明するシーケンス図である。
【図６】図６Ａは、追加モード時において、新規グループの追加前のグループの構成の一例を示す図である。図６Ｂは、変更モード時において、新規グループの追加後のグループの構成の一例を示す図である。
【図７】図７は、変形例１に係る負荷制御システムの変更モード時における動作について説明するシーケンス図である。
【図８】図８は、変形例１に係る負荷制御システムの追加モード時における動作について説明するシーケンス図である。
【発明を実施するための形態】
【００１５】
以下に説明する実施形態及び変形例は、本開示の一例に過ぎず、本開示は、実施形態及び変形例に限定されない。この実施形態及び変形例以外であっても、本開示に係る技術的思想を逸脱しない範囲であれば、設計等に応じて種々の変更が可能である。
【００１６】
（実施形態）
以下、本実施形態に係る負荷制御システムについて、図１〜図６Ｂを用いて説明する。
【００１７】
（１）概要
本実施形態では、図１に示すように、負荷制御システム１としての照明制御システム１Ａは、設定システム１０、管理装置２０、コントローラ３０、複数（ここでは、３つ）のリレー４０及び複数の照明器具５０）を備える。複数のリレー４０の各々に、１つ以上の照明器具５０が接続されている。複数の照明器具５０を個別に記載する必要がある場合には、照明器具５１，５２、・・・、５８と記載する。
【００１８】
管理装置２０は、２線式の通信線により複数のリレー４０と接続されている。管理装置２０は、複数のリレー４０に対して、一括または個別に動作状態を通信線を介して制御する。ここで、動作状態には、オン状態とオフ状態とがあり、管理装置２０は、リレー４０をオン状態からオフ状態への切り替える処理、及びオフ状態からオン状態への切り替える処理を行う。
【００１９】
複数のリレー４０は、電力を供給する電源部（例えば商用電源）と接続されており、リレー４０がオン状態である場合には、電源部からの電力を、接続された照明器具５０に供給する。リレー４０がオフ状態である場合には、電源部からの電力を、接続された照明器具５０に供給しない。
【００２０】
コントローラ３０は、管理装置２０と有線で接続されている。コントローラ３０は、複数のグループを含む設定情報を記憶し、管理装置２０の指示に基づいて複数のグループのうちいずれかのグループに各々が属する複数の照明器具５０に対して複数のグループごとに制御する。例えば、コントローラ３０は、管理装置２０の指示に基づいて、制御対象のグループに含まれる1つ以上の照明器具５０の調光及び調色の少なくとも一方の制御を行う。
【００２１】
複数の照明器具５０は、設定システム１０及びコントローラ３０と通信可能に構成されている。各照明器具５０は、複数の通信方式での通信が可能に構成されている。本実施形態では、免許を必要としない小電力無線（特定小電力無線）の無線通信による通信方式、及び小電力無線による通信よりも指向性が高い赤外線を用いた無線通信による通信方式で通信が可能である。ここで、小電力無線（特定小電力無線）の無線通信では、単位時間（例えば、１秒間）に送信できるデータ量は、赤外線通信よりも多い。また、小電力無線については、用途等に応じて使用する周波数帯域や空中線電力などの仕様が各国で規定されている。日本国においては、９２０ＭＨｚ帯又は４２０ＭＨｚ帯の電波を使用する小電力無線が規定されている。以下の説明において、赤外線を用いた無線通信による通信方式を第１通信方式と、小電力無線を用いた無線通信による通信方式を第２通信方式と、それぞれいう。
【００２２】
各照明器具５０は、第1通信方式による無線通信で設定システム１０からの信号を受信する。各照明器具５０は、設定システム１０に情報を送信する場合には、第２無線通信方式による無線通信で送信する。さらに、各照明器具５０は、コントローラ３０との間では、第２無線通信方式による無線通信で通信を行う。
【００２３】
設定システム１０は、１つの照明器具５０についてグループ所属先を変更する場合において、グループの変更対象となる照明器具５０の識別子（第１識別子）と、変更対象の照明器具５０が変更後に属するグループの照明器具５０の識別子(第２識別子)とを、コントローラ３０に第２通信方式で送信する。
【００２４】
コントローラ３０は、第１識別子と第２識別子とを用いて、変更対象となる照明器具５０が第２識別子の照明器具５０が属するグループに属するように、グループの構成を変更、つまり設定情報を変更する。
【００２５】
設定システム１０は、設定情報に新規グループを含める場合において、新規グループに属することになる照明器具５０の識別子（第３識別子）を、コントローラ３０に第２通信方式で送信する。
【００２６】
コントローラ３０は、第３識別子を用いて、照明器具５０が属し、設定情報に含まれる新たなグループを生成して、設定情報を更新（変更）する。
【００２７】
（２）構成
（２−１）設定システム
ここでは、本実施形態の設定システム１０の構成について説明する。
【００２８】
設定システム１０は、通信器１００と情報端末２００とから構成されている（図２参照）。通信器１００は、情報端末２００と近距離無線通信による通信を行う。例えば、通信器１００は、Ｂｌｕｅｔｏｏｔｈ（登録商標）に準拠した近距離無線通信により通信可能である。情報端末２００は、例えばスマートフォン、タブレット端末等の端末である。
【００２９】
（２−１−１）通信器
通信器１００は、図２に示すように、第１無線通信部１０１、第２無線通信部１０２、操作部１０３及び制御部１０４を備える。
【００３０】
通信器１００は、例えばプロセッサ及びメモリを有するマイクロコンピュータを有している。そして、プロセッサがメモリに格納されているプログラムを実行することにより、マイクロコンピュータが制御部１０４として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００３１】
第１無線通信部１０１は、照明器具５０との通信を可能とする通信インタフェースである。具体的には、第１無線通信部１０１は、第１通信方式（赤外線を用いた無線通信）により照明器具５０との通信を行う。第１無線通信部１０１は、赤外線を照射する照射部を有している。設定システム１０の操作者が第１無線通信部１０１の照射部を通信対象の照明器具５０に向けて第１無線通信部１０１に赤外線を照射させることで、第１無線通信部１０１と、通信対象の照明器具５０との間で第１通信方式を用いた通信が可能となる。第１無線通信部１０１は、ユーザの指示により、複数の照明器具５０のうち１つの照明器具５０に対して、具体的には照射部が向けられた照明器具５０に対して、当該照明器具５０の識別子を要求する要求情報を含む信号を、第１通信方式を用いた無線通信で送信する。
【００３２】
第２無線通信部１０２は、情報端末２００との通信を可能とする通信インタフェースである。具体的には、第２無線通信部１０２は、Ｂｌｕｅｔｏｏｔｈ（登録商標）に準拠した近距離無線通信により情報端末２００と通信を行う。
【００３３】
操作部１０３は、ユーザ操作を受け付ける。具体的には、操作部１０３は、赤外線を照射する照射指示を受け付ける。例えば、操作部１０３は、押ボタンを有しており、ユーザが押ボタンを押すことで、赤外線を照射する指示を受け付ける。
【００３４】
制御部１０４は、第１通信方式による通信の開始に係る通信開始情報を、第２無線通信部１０２を介して情報端末２００から受け取る。制御部１０４は、通信開始情報を受け取った後、操作部１０３が照射指示を受け取ると、第１無線通信部１０１が赤外線を照射するように第１無線通信部１０１を制御する。このとき、上述したように、通信対象である照明器具５０に対して、通信対象である照明器具５０の識別子を要求する情報を含む信号が赤外線で送信される。
【００３５】
制御部１０４は、１つの照明器具５０についてグループ所属先を変更する場合には、グループの変更対象となる照明器具５０の識別子（第１識別子）を要求する要求情報（第１要求情報）を、グループの変更対象となる照明器具５０に第１無線通信部１０１を介して送信する。
【００３６】
さらに、制御部１０４は、１つの照明器具５０についてグループ所属先を変更する場合には、グループの変更対象となる照明器具５０が変更後に属するグループの照明器具５０に、識別子（第２識別子）を要求する要求情報（第２要求情報）を、第１無線通信部１０１を介して送信する。
【００３７】
制御部１０４は、設定情報に新規グループを含める場合には、新規グループに属することになる照明器具５０の識別子（第３識別子）を要求する要求情報（第３要求情報）を、新規グループに属することになる照明器具５０に第１無線通信部１０１を介して送信する。
【００３８】
ここで、本開示の第１送信部は、例えば、設定システム１０における通信器１００の第１無線通信部１０１が第１要求情報を送信する機能に相当する。本開示の第２送信部は、例えば、設定システム１０における通信器１００の第１無線通信部１０１が第２要求情報を送信する機能に相当する。
【００３９】
（２−１−２）情報端末
情報端末２００は、図２に示すように、第１無線通信部２０１、第２無線通信部２０２、操作部２０３、表示部２０４及び制御部２０５を備える。
【００４０】
情報端末２００は、例えばプロセッサ及びメモリを有するマイクロコンピュータを有している。そして、プロセッサがメモリに格納されているプログラムを実行することにより、マイクロコンピュータが制御部２０５として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００４１】
第１無線通信部２０１は、照明器具５０及びコントローラ３０との通信を可能とする通信インタフェースである。具体的には、第１無線通信部１０１は、第２通信方式により照明器具５０及びコントローラ３０との通信を行う。
【００４２】
第１無線通信部２０１は、通信器１００が第１通信方式で送信した要求情報に対応する応答情報を含む信号を、通信器１００の通信対象である照明器具５０から第２通信方式で受信する。ここで、応答情報は、送信元である照明器具５０（通信器１００の通信対象である照明器具５０）の識別子を含む。
【００４３】
第１無線通信部２０１は、１つの照明器具５０についてグループ所属先を変更する場合には、グループの変更対象となる照明器具５０の識別子（第１識別子）と、変更対象の照明器具５０が変更後に属するグループの照明器具５０の識別子（第２識別子）とを、コントローラ３０に第２通信方式で送信する。
【００４４】
第１無線通信部２０１は、設定情報に新規グループを含める場合には、新規グループに属することになる照明器具５０の識別子（第３識別子）を、コントローラ３０に第２通信方式で送信する。
【００４５】
第２無線通信部２０２は、通信器１００との通信を可能とする通信インタフェースである。具体的には、第２無線通信部２０２は、Ｂｌｕｅｔｏｏｔｈ（登録商標）に準拠した近距離無線通信により通信器１００と通信を行う。
【００４６】
操作部２０３は、ユーザ操作を受け付ける。例えば、操作部２０３は、制御部２０５の動作モードとして、１つの照明器具５０についてグループ所属先を変更する変更モードと、設定情報に新規グループを含める追加モードとのいずれかの選択を受け付ける。
【００４７】
操作部２０３は、制御部２０５の動作モードが変更モードである場合には、グループの変更対象となる照明器具５０の選択が終了したことの操作を受け付ける。操作部２０３は、制御部２０５の動作モードが変更モードである場合には、さらに、変更対象の照明器具５０が変更後に属するグループの照明器具５０の選択が終了したことを受け付ける。
【００４８】
操作部２０３は、制御部２０５の動作モードが追加モードである場合には、新規グループに属することになる照明器具５０の選択が終了したことの操作を受け付ける。
【００４９】
表示部２０４は、例えば液晶ディスプレイや有機ＥＬ（electro-luminescence）ディスプレイのような薄型のディスプレイ装置である。本実施形態の情報端末２００はタッチパネルディスプレイを搭載したスマートフォンであり、タッチパネルディスプレイが操作部２０３及び表示部２０４として機能する。
【００５０】
制御部２０５は、動作モードとして変更モード及び追加モードのいずれかが選択される。
【００５１】
制御部２０５は、動作モードとして変更モードが選択されると、変更対象の照明器具５０の識別子（第１識別子）を要求する要求情報（第１要求情報）の送信を指示する旨の情報を通信開始情報として、第２無線通信部２０２を介して通信器１００に送信する。
【００５２】
制御部２０５は、第１要求情報に対応する応答情報（第１応答情報）を、第１無線通信部２０１を介して当該第１要求情報を受信した照明器具５０から受け取る。制御部２０５は、変更対象の照明器具５０が変更後に属するグループの照明器具５０の識別子（第２識別子）を要求する要求情報（第２要求情報）を指示する旨の情報を通信開始情報として、第２無線通信部２０２を介して通信器１００に送信する。このとき、制御部２０５は、変更対象の照明器具５０から識別子（第１識別子）を受信した旨のメッセージ、及び変更対象の照明器具５０が変更後に属するグループの照明器具５０を選択する旨のメッセージのうち一方のメッセージを、表示部２０４に表示させる。ここで、第１応答情報は、変更対象の照明器具５０の識別子（第１識別子）を含む。
【００５３】
制御部２０５は、第２要求情報に対応する応答情報（第２応答情報）を、第１無線通信部２０１を介して当該第２要求情報を受信した照明器具５０から受け取る。このとき、制御部２０５は、変更対象の照明器具５０が変更後に属するグループの照明器具５０から識別子（第２識別子）を受信した旨のメッセージを、表示部２０４に表示させる。ここで、第２応答情報は、第２応答情報の送信元である照明器具５０の識別子(第２識別子)を含む。
【００５４】
制御部２０５は、第１識別子及び第２識別子の組を含む第１変更情報を、コントローラ３０に第１無線通信部２０１を介して送信する。つまり、制御部２０５は、コントローラ３０に設定情報を更新させるために、第１識別子と第２識別子との組を含む第１変更情報を、コントローラ３０に第１無線通信部２０１を介して送信する。具体的には、制御部２０５は、変更対象の照明器具５０が複数のグループのうち当該照明器具５０が属するグループには属さず、第２識別子の照明器具５０が属するグループに属するようにコントローラ３０に設定情報を更新させるために、第１変更情報をコントローラ３０に第１無線通信部２０１を介して送信する。このとき、制御部２０５は、第１識別子及び第２識別子を送信した旨のメッセージを、表示部２０４に表示させる。
【００５５】
制御部２０５は、動作モードとして追加モードが選択されると、新規グループに属する照明器具５０の識別子（第３識別子）を要求する要求情報（第３要求情報）の送信を指示する旨の情報を通信開始情報として、第２無線通信部２０２を介して通信器１００に送信する。
【００５６】
制御部２０５は、第３要求情報に対応する応答情報（第３応答情報）を、第１無線通信部２０１を介して当該第３要求情報を受信した照明器具５０から受け取る。このとき、制御部２０５は、新規グループに属するグループの照明器具５０から識別子（第３識別子）を受信した旨のメッセージを、表示部２０４に表示させる。ここで、第３応答情報は、新規グループに属する照明器具５０の識別子（第３識別子）を含む。
【００５７】
制御部２０５は、第３識別子を含む第２変更情報を、コントローラ３０に第１無線通信部２０１を介して送信する。つまり、制御部２０５は、コントローラ３０に設定情報を更新させるために、第３識別子を含む第２変更情報を、コントローラ３０に第１無線通信部２０１を介して送信する。具体的には、制御部２０５は、変更対象の照明器具５０が新たなグループに属するようにコントローラ３０に設定情報を更新させるために、第２変更情報をコントローラ３０に第１無線通信部２０１を介して送信する。このとき、制御部２０５は、第３識別子を送信した旨のメッセージを、表示部２０４に表示させる。
【００５８】
ここで、本開示の第１受信部は、例えば、設定システム１０における情報端末２００の第１無線通信部２０１が第１応答情報を受信する機能に相当する。本開示の第２受信部は、例えば、設定システム１０における情報端末２００の第１無線通信部２０１が第２応答情報を受信する機能に相当する。本開示の第３送信部は、例えば、設定システム１０における情報端末２００の第１無線通信部２０１が第１変更情報を送信する機能に相当する。
【００５９】
（２−２）コントローラ
ここでは、コントローラ３０の構成について説明する。
【００６０】
コントローラ３０は、図１に示すように、記憶部３０１、第１通信部３０２、第２通信部３０３及び処理部３０４を備える。
【００６１】
コントローラ３０は、例えばプロセッサ及びメモリを有するマイクロコンピュータを有している。そして、プロセッサがメモリに格納されているプログラムを実行することにより、マイクロコンピュータが処理部３０４として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００６２】
記憶部３０１は、ＲＯＭ（Read Only Memory）、ＲＡＭ（Random Access Memory）、またはＥＥＰＲＯＭ（Electrically Erasable Programmable Read Only Memory）などから選択されるデバイスで構成される。
【００６３】
記憶部３０１は、複数のグループを含む設定情報を記憶している。複数のグループの各々には、複数の照明器具５０のうち当該グループに属する１つ以上の照明器具５０にそれぞれ対応する１つ以上の識別子が含まれている。なお、本実施形態では、各照明器具５０は、複数のグループのうち１つのグループに属し、２つ以上のグループには属していない。
【００６４】
第１通信部３０２は、管理装置２０との通信を可能とする通信インタフェースである。第１通信部３０２は、管理装置２０と有線で接続されており、管理装置２０との間で当該有線を用いた通信を行う。なお、コントローラ３０と管理装置２０との間の通信は、無線通信であってもよい。
【００６５】
第２通信部３０３は、照明器具５０及びコントローラ３０との通信を可能とする通信インタフェースである。具体的には、第２通信部３０３は、第２通信方式により照明器具５０及びコントローラ３０との通信を行う。
【００６６】
処理部３０４は、管理装置２０の指示に基づいて、複数の照明器具５０に対して複数のグループごとに制御する。
【００６７】
処理部３０４は、記憶部３０１が記憶する設定情報の更新を行う。
【００６８】
処理部３０４は、設定システム１０から第１識別子及び第２識別子の組を含む第１変更情報を、第２通信部３０３を介して受け取る。処理部３０４は、設定情報に含まれる複数のグループのうち第１識別子の照明器具５０が属するグループから当該照明器具５０を除外し、第２識別子の照明器具５０が属するグループに第１識別子の照明器具５０が属するように設定情報を更新する。具体的には、処理部３０４は、設定情報に含まれる複数のグループのうち第１識別子を含むグループから当該第１識別子を削除し、第２識別子を含むグループに、第１識別子を追加する。
【００６９】
処理部３０４は、設定システム１０から第３識別子を含む第２変更情報を、第２通信部３０３を介して受け取る。処理部３０４は、設定情報に含まれる複数のグループのうち第３識別子の照明器具５０が属するグループから当該照明器具５０を除外し、第３識別子の照明器具５０が新たなグループに属するように設定情報を更新する。具体的には、処理部３０４は、設定情報に含まれる複数のグループのうち第３識別子を含むグループから当該第３識別子を削除し、第３識別子の照明器具５０を含む新たなグループを生成し、生成した新たなグループを設定情報に含める。
【００７０】
（３）動作
ここでは、変更モード時の照明制御システム１Ａ（負荷制御システム１）の動作、及び追加モード時の照明制御システム１Ａ（負荷制御システム１）の動作について、説明する。
【００７１】
（３−１）  変更モード時の動作
ここでは、動作モードが変更モードである場合における照明制御システム１Ａの動作について、図３を用いて説明する。
【００７２】
設定システム１０における情報端末２００の操作部２０３は、動作モードを変更モードとする指示を受け付ける（ステップＳ１）。
【００７３】
情報端末２００の制御部２０５は、第１要求情報の送信を指示する旨の情報を通信開始情報として通信器１００に送信する。
【００７４】
設定システム１０における通信器１００の第１無線通信部１０１は、赤外線の照射部が向けられた照明器具５０（例えば、照明器具５４）に対して、第１要求情報を赤外線で送信する（ステップＳ２）。
【００７５】
設定システム１０における情報端末２００の制御部２０５は、第１要求情報を受信した照明器具５０から第１無線通信部２０１を介して、第１応答情報を受け取る（ステップＳ３）。ここで、第１応答情報は、第１要求情報を受信した照明器具５０（照明器具５４）の識別子（第１識別子）が含まれる。本実施形態では、第１要求情報を受け取った照明器具５０（例えば、照明器具５４）は、ブロードキャストにより第１応答情報を送信する。このとき、第１応答情報を送信した照明器具５０以外の少なくとも１つの照明器具５０（例えば、照明器具５１〜５３、５５〜５８のうち少なくとも１つの照明器具）は第１応答情報を受信する場合がある。第１応答情報を受信した照明器具５０は、受信した第１応答情報を破棄する。
【００７６】
情報端末２００の制御部２０５は、第１無線通信部２０１を介して第１応答情報を受け取ると、第２要求情報の送信を指示する旨の情報を通信開始情報として通信器１００に送信する。
【００７７】
設定システム１０における通信器１００の制御部１０４は、第１無線通信部１０１を介して、赤外線の照射部が向けられた照明器具５０（例えば、照明器具５５）に対して、第２要求情報を赤外線で送信する（ステップＳ４）。
【００７８】
設定システム１０における情報端末２００の制御部２０５は、第２要求情報を受信した照明器具５０から第１無線通信部２０１を介して、第２応答情報を受け取る（ステップＳ５）。ここで、第２応答情報は、第２要求情報を受信した照明器具５０（照明器具５５）の識別子（第２識別子）が含まれる。本実施形態では、第２要求情報を受け取った照明器具５０（例えば、照明器具５５）は、ブロードキャストにより第２応答情報を送信する。このとき、第２応答情報を送信した照明器具５０以外の少なくとも１つの照明器具５０（例えば、照明器具５１〜５４、５６〜５８のうち少なくとも１つの照明器具）は第２応答情報を受信する場合がある。第２応答情報を受信した照明器具５０は、受信した第２応答情報を破棄する。
【００７９】
情報端末２００の制御部２０５は、第１無線通信部２０１を介して、第１識別子及び第２識別子の組を含む第１変更情報を、コントローラ３０に送信する（ステップＳ６）。
【００８０】
コントローラ３０の処理部３０４は、設定システム１０から受け取った第１変更情報に含まれる第１識別子及び第２識別子を用いて、設定情報を更新する第１更新処理を行う（ステップＳ７）。具体的には、コントローラ３０の処理部３０４は、設定情報に含まれる複数のグループのうち第１識別子の照明器具５０（例えば、照明器具５４）が属するグループから当該照明器具５０を除外し、第２識別子の照明器具５０（例えば、照明器具５５）が属するグループに第１識別子の照明器具５０が属するように設定情報を更新する。
【００８１】
例えば、上記動作を行う前に、設定情報はグループＡ１〜Ａ３を含み、グループＡ１は照明器具５１〜５４を、グループＡ２は照明器具５５〜５６を、グループＡ３は照明器具５７〜５８を、それぞれ含んでいるとする（図１、図４Ａ参照）。
【００８２】
このとき、照明器具５４をグループＡ１からグループＡ２に変更する場合には、まず、設定システム１０は第１要求情報を照明器具５４に送信する。設定システム１０は、第１応答情報を照明器具５４から受信する。設定システム１０は、照明器具５４の変更後の所属先であるグループＡ２に含まれる１つの照明器具５０（ここでは、照明器具５５）に第２要求情報を送信する。設定システム１０は、第２応答情報を照明器具５５から受信する。
【００８３】
設定システム１０は、第１応答情報に含まれる第１識別子（照明器具５４の識別子）及び第２応答情報に含まれる第２識別子（照明器具５５の識別子）の組を含む第１変更情報をコントローラ３０に送信する。
【００８４】
コントローラ３０の処理部３０４は、第１識別子及び第２識別子を用いて第１更新処理を行う。具体的には、コントローラ３０の処理部３０４は、設定情報に含まれる複数のグループＡ１〜Ａ３のうち第１識別子の照明器具５４が属するグループＡ１から照明器具５４を除外し、第２識別子の照明器具５５が属するグループＡ２に照明器具５４が属するように設定情報を更新する。これにより、グループＡ１は照明器具５１〜５３を、グループＡ２は照明器具５４〜５６を、グループＡ３は照明器具５７〜５８を、それぞれ含むように、設定情報が更新される（図４Ｂ参照）。
【００８５】
（３−２）  追加モード時の動作
ここでは、動作モードが追加モードである場合における照明制御システム１Ａの動作について、図５を用いて説明する。
【００８６】
設定システム１０における情報端末２００の操作部２０３は、動作モードを追加モードとする指示を受け付ける（ステップＳ１０）。
【００８７】
情報端末２００の制御部２０５は、第３要求情報の送信を指示する旨の情報を通信開始情報として通信器１００に送信する。
【００８８】
設定システム１０における通信器１００の制御部１０４は、第１無線通信部１０１を介して、赤外線の照射部が向けられた照明器具５０（例えば、照明器具５４）に対して、第３要求情報を赤外線で送信する（ステップＳ１１）。
【００８９】
設定システム１０における情報端末２００の制御部２０５は、第１無線通信部２０１を介して、第３要求情報を受信した照明器具５０から第３応答情報を受け取る（ステップＳ１２）。ここで、第３応答情報は、第３要求情報を受信した照明器具５０（照明器具５４）の識別子（第３識別子）が含まれる。本実施形態では、第３要求情報を受け取った照明器具５０（例えば、照明器具５４）は、ブロードキャストにより第３応答情報を送信する。このとき、第３応答情報を送信した照明器具５０以外の少なくとも１つの照明器具５０（例えば、照明器具５１〜５３、５５〜５８のうち少なくとも１つの照明器具）は第３応答情報を受信する場合がある。第３応答情報を受信した照明器具５０は、受信した第３応答情報を破棄する。
【００９０】
情報端末２００の制御部２０５は、第１無線通信部２０１を介して第３応答情報を受け取ると、第３識別子を含む第２変更情報を、コントローラ３０に第１無線通信部２０１を介して送信する（ステップＳ１３）。
【００９１】
コントローラ３０の処理部３０４は、設定システム１０から受け取った第２変更情報に含まれる第３識別子を用いて、設定情報を更新する第２更新処理を行う（ステップＳ１４）。具体的には、コントローラ３０の処理部３０４は、設定情報に含まれる複数のグループのうち第３識別子の照明器具５０（例えば、照明器具５４）が属するグループから当該照明器具５０を除外し、当該照明器具５０が新規グループに属するように設定情報を更新する。
【００９２】
例えば、上記動作を行う前に、設定情報はグループＡ１〜Ａ３を含み、グループＡ１は照明器具５１〜５４を、グループＡ２は照明器具５５〜５６を、グループＡ３は照明器具５７〜５８を、それぞれ含んでいるとする（図１、図６Ａ参照）。
【００９３】
このとき、照明器具５４をグループＡ１から新規グループであるグループＡ４に変更する場合には、まず、設定システム１０は第３要求情報を照明器具５４に送信する。設定システム１０は、第３応答情報を照明器具５４から受信する。
【００９４】
設定システム１０は、第３応答情報に含まれる第３識別子（照明器具５４の識別子）を含む第２変更情報をコントローラ３０に送信する。
【００９５】
コントローラ３０の処理部３０４は、設定情報に含まれる複数のグループＡ１〜Ａ３のうち第３識別子の照明器具５４が属するグループＡ１から当該照明器具５４を除外し、照明器具５４が新規グループであるグループＡ４に属するように設定情報を更新する。これにより、グループＡ１は照明器具５１〜５３を、グループＡ２は照明器具５５〜５６を、グループＡ３は照明器具５７〜５８を、グループＡ４は照明器具５４を、それぞれ含むように、設定情報が更新される（図６Ｂ参照）。
【００９６】
（４）利点
本実施形態では、設定システム１０は、変更モード時には、複数の照明器具５０のうち変更対象である１つの照明器具５０（例えば、照明器具５４）から、照明器具５４の識別子を受け取る。さらに、設定システム１０は、複数の照明器具５０のうち、変更対象の照明器具５４が変更後に属するグループの照明器具５０（例えば、照明器具５５）から、照明器具５５の識別子を受け取る。設定システム１０は、照明器具５４の識別子及び照明器具５５の識別子を、コントローラ３０に送付する。コントローラ３０は、照明器具５４が属するグループを、照明器具５５が属するグループに変更する。つまり、作業者は、設定システム１０を用いて、変更対象の照明器具５０の識別子（第１識別子）と、変更対象の照明器具５４が変更後に属するグループの照明器具５０の識別子（第２識別子）を取得し、コントローラ３０に送信すればよい。そのため、作業者は、グループの構成の変更に必要な情報（第１識別子、第２識別子）を取得した後、グループの構成を変更する際に装置との間で対話を行う必要はない。したがって、従来の作業と比較して、複数の照明器具５０（負荷）のグループの構成を変更する作業をより簡易に行えることができる。
【００９７】
また、本実施形態では、設定システム１０は、追加モード時には、複数の照明器具５０のうち変更対象である１つの照明器具５０（例えば、照明器具５４）から、照明器具５４の識別子を受け取る。設定システム１０は、照明器具５４の識別子を、コントローラ３０に送付する。コントローラ３０は、照明器具５４が新規グループに属するように当該新規グループを設定情報に追加することで、設定情報を変更する。つまり、作業者は、設定システム１０を用いて、変更対象の照明器具５０の識別子（第３識別子）を取得し、コントローラ３０に送信すればよい。そのため、作業者は、グループの構成の変更に必要な情報（第３識別子）を取得した後、グループの構成を変更する際に装置との間で対話を行う必要はない。したがって、従来の作業と比較して、複数の照明器具５０（負荷）のグループの構成を変更する作業をより簡易に行えることができる。
【００９８】
（５）変形例
以下に、変形例について列記する。なお、以下に説明する変形例は、上記実施形態と適宜組み合わせて適用可能である。
【００９９】
（５−１）変形例１
上記実施形態において、動作モードが変更モードである場合に、変更対象の照明器具として複数の照明器具５０が存在し、変更後のグループが同一であるときには、設定システム１０は、変更対象である複数の照明器具５０ごとに、第１要求情報を送信してもよい。
【０１００】
制御部２０５は、動作モードとして変更モードが選択されると、第１要求情報の送信を指示する旨の情報を通信開始情報として、第２無線通信部２０２を介して通信器１００に送信する。
【０１０１】
制御部２０５は、１つの照明器具５０から第１応答情報を、第１無線通信部２０１を介して受け取ると、表示部２０４に、第１要求情報の送信を続行するか、終了するかを問い合わせる画面を表示させる。
【０１０２】
操作部２０３が続行する旨の指示を受け付けると、第１要求情報の送信を続行する指示を通信開始情報として、第２無線通信部２０２を介して通信器１００に送信する。
【０１０３】
通信器１００は、操作部２０３が第１要求情報の送信を終了する旨の指示を受け付けるまでは、赤外線の照射部が向けられた照明器具５０に対して、第１要求情報を送信する。
【０１０４】
情報端末２００の制御部２０５は、操作部２０３が第１要求情報の送信を終了する旨の指示を受け付けるまでは第１要求情報が送信される度に、第１無線通信部２０１を介して、第１応答情報を受け付ける。
【０１０５】
操作部２０３が第１要求情報の送信を終了する旨の指示を受け付けると、制御部２０５は、第２要求情報の送信を指示する旨の情報を通信開始情報として、第２無線通信部２０２を介して通信器１００に送信する。
【０１０６】
制御部２０５は、第２要求情報に対応する第２応答情報を、第１無線通信部２０１を介して受け取る。
【０１０７】
制御部２０５は、１又は複数の第１識別子、及び第２識別子の組を含む第１変更情報を、コントローラ３０に第１無線通信部２０１を介して送信する。
【０１０８】
コントローラ３０の処理部３０４は、１又は複数の第１識別子、及び第２識別子の組を含む第１変更情報を、設定システム１０から第２通信部を介して受け取る。処理部３０４は、１又は複数の第１識別子と、第２識別子とを用いて、第２識別子の照明器具５０が属するグループに、変更対象である１又は複数の照明器具５０のすべてが属するように、設定情報を更新する。具体的には、処理部３０４は、１又は複数の第１識別子にそれぞれ対応する複数の照明器具５０の各々に対して、当該第１識別子の照明器具５０（変更対象の照明器具５０）が属するグループから当該第１識別子の照明器具５０を除外する。処理部３０４は、第２識別子の照明器具５０が属するグループに、１又は複数の第１識別子にそれぞれ対応する複数の照明器具５０のすべてを追加する。例えば、処理部３０４は、１又は複数の第１識別子にそれぞれについて、当該第１識別子を含むグループから当該第１識別子を削除し、第２識別子を含むグループに当該第１識別子を追加する。
【０１０９】
制御部２０５は、動作モードとして追加モードが選択されると、第３要求情報の送信を指示する旨の情報を通信開始情報として、第２無線通信部２０２を介して通信器１００に送信する。
【０１１０】
制御部２０５は、１つの照明器具５０から第１無線通信部２０１を介して第３応答情報を受け取ると、表示部２０４に、第３要求情報の送信を続行するか、終了するかを問い合わせる画面を表示させる。
【０１１１】
操作部２０３が続行する旨の指示を受け付けると、第３要求情報の送信を続行する指示を通信開始情報として、第２無線通信部２０２を介して通信器１００に送信する。
【０１１２】
通信器１００は、操作部２０３が第３要求情報の送信を終了する旨の指示を受け付けるまでは、赤外線の照射部が向けられた照明器具５０に対して、第３要求情報を送信する。
【０１１３】
情報端末２００の制御部２０５は、操作部２０３が第３要求情報の送信を終了する旨の指示を受け付けるまでは第３要求情報が送信される度に、第１無線通信部２０１を介して、第３応答情報を受け付ける。
【０１１４】
操作部２０３が第３要求情報の送信を終了する旨の指示を受け付けると、制御部２０５は、１又は複数の第３識別子を含む第２変更情報を、コントローラ３０に第１無線通信部２０１を介して送信する。
【０１１５】
コントローラ３０の処理部３０４は、１又は複数の第３識別子を含む第２変更情報を、設定システム１０から第２通信部を介して受け取る。処理部３０４は、１又は複数の第３識別子を用いて、新規グループに、変更対象である１又は複数の照明器具５０のすべてが属するように、設定情報を更新する。具体的には、処理部３０４は、１又は複数の第３識別子にそれぞれ対応する複数の照明器具５０の各々に対して、当該第３識別子の照明器具５０（変更対象の照明器具５０）が属するグループから当該第３識別子の照明器具５０を除外する。処理部３０４は、新規グループに、１又は複数の第３識別子にそれぞれ対応する複数の照明器具５０のすべてを追加する。例えば、処理部３０４は、１又は複数の第３識別子にそれぞれについて、当該第３識別子を含むグループから当該第３識別子を削除し、新規グループに当該第１識別子を追加する。
【０１１６】
以下、変更モード時に変更対象の照明器具として複数の照明器具５０を指定する場合における照明制御システム１Ａ（負荷制御システム１）の動作について、図７を用いて説明する。
【０１１７】
設定システム１０における情報端末２００の操作部２０３は、動作モードを変更モードとする指示を受け付ける（ステップＳ２０）。
【０１１８】
情報端末２００の制御部２０５は、第１要求情報の送信を指示する旨の情報を通信開始情報として通信器１００に送信する。
【０１１９】
設定システム１０における通信器１００の制御部１０４は、赤外線の照射部が向けられた照明器具５０（ここでは、照明器具５３）に対して、第１無線通信部１０１を介して第１要求情報を赤外線で送信する（ステップＳ２１）。
【０１２０】
設定システム１０における情報端末２００の制御部２０５は、照明器具５３から第１無線通信部２０１を介して、第１応答情報を受け取る（ステップＳ２２）。本変形例では、実施形態と同様に、第１要求情報を受け取った照明器具５０（例えば、照明器具５３）は、ブロードキャストにより第１応答情報を送信する。第１応答情報を受信した他の照明器具５０（この場合では、照明器具５３以外の照明器具５０）は、受信した第１応答情報を破棄する。
【０１２１】
第１要求情報の送信を続行する旨の指示を操作部２０３が受け付けると、第１要求情報の送信を続行する指示を通信開始情報として、第２無線通信部２０２を介して通信器１００に送信する。
【０１２２】
設定システム１０における通信器１００の制御部１０４は、赤外線の照射部が向けられた照明器具５０（ここでは、照明器具５４）に対して、第１無線通信部１０１を介して第１要求情報を赤外線で送信する（ステップＳ２３）。
【０１２３】
設定システム１０における情報端末２００の制御部２０５は、照明器具５４から第１無線通信部２０１を介して、第１応答情報を受け取る（ステップＳ２４）。
【０１２４】
操作部２０３が第１要求情報の送信を終了する旨の指示を受け付けると、制御部２０５は、第２要求情報の送信を指示する旨の情報を通信開始情報として、第２無線通信部２０２を介して通信器１００に送信する。
【０１２５】
設定システム１０における通信器１００の制御部１０４は、赤外線の照射部が向けられた照明器具５０（例えば、照明器具５５）に対して、第１無線通信部１０１を介して第２要求情報を赤外線で送信する（ステップＳ２５）。
【０１２６】
設定システム１０における情報端末２００の制御部２０５は、照明器具５４から第１無線通信部２０１を介して、第２応答情報を受け取る（ステップＳ２６）。本変形例では、実施形態と同様に、第２要求情報を受け取った照明器具５０（例えば、照明器具５５）は、ブロードキャストにより第２応答情報を送信する。このとき、第２応答情報を受信した他の照明器具５０（この場合では、照明器具５５以外の照明器具５０）は、受信した第２応答情報を破棄する。
【０１２７】
情報端末２００の制御部２０５は、複数（ここでは、２つ）の第１識別子（照明器具５３，５４にそれぞれ対応する２つの識別子）、及び第２識別子の組を含む第１変更情報を、コントローラ３０に第１無線通信部２０１を介して送信する（ステップＳ２７）。
【０１２８】
コントローラ３０の処理部３０４は、設定システム１０から受け取った第１変更情報に含まれる複数の第１識別子及び第２識別子を用いて、設定情報を更新する第１更新処理を行う（ステップＳ２８）。具体的には、コントローラ３０の処理部３０４は、複数の第１識別子にそれぞれ対応する複数の照明器具５０（例えば、照明器具５３，５４）が属するグループ（ここでは、グループＡ１）から当該照明器具５３，５４を除外する。コントローラ３０の処理部３０４は、第２識別子の照明器具５０（例えば、照明器具５５）が属するグループに複数の第１識別子にそれぞれ対応する複数の照明器具５０（照明器具５３，５４）が属するように設定情報を更新する。
【０１２９】
次に、追加モード時に変更対象の照明器具として複数の照明器具５０を指定する場合における照明制御システム１Ａ（負荷制御システム１）の動作について、図８を用いて説明する。なお、ここでは、設定情報に含まれる既存のグループとしてグループＡ１〜Ａ３（図１参照）が含まれるとし、新規グループとしてグループＡ４が設定情報に追加される場合を想定して説明する。
【０１３０】
設定システム１０における情報端末２００の操作部２０３は、動作モードを追加モードとする指示を受け付ける（ステップＳ３０）。
【０１３１】
情報端末２００の制御部２０５は、第３要求情報の送信を指示する旨の情報を通信開始情報として通信器１００に送信する。
【０１３２】
設定システム１０における通信器１００の制御部１０４は、赤外線の照射部が向けられた照明器具５０（例えば、照明器具５３）に対して、第１無線通信部１０１を介して第３要求情報を赤外線で送信する（ステップＳ３１）。
【０１３３】
設定システム１０における情報端末２００の制御部２０５は、照明器具５０から第１無線通信部２０１を介して、第３応答情報を受け取る（ステップＳ１２）。本変形例では、実施形態と同様に、第３要求情報を受け取った照明器具５０（例えば、照明器具５３）は、ブロードキャストにより第３応答情報を送信する。このとき、第３応答情報を受信した照明器具５０（この場合では、照明器具５３以外の照明器具５０）は、受信した第３応答情報を破棄する。
【０１３４】
第３要求情報の送信を続行する旨の指示を操作部２０３が受け付けると、第３要求情報の送信を続行する指示を通信開始情報として、第２無線通信部２０２を介して通信器１００に送信する。
【０１３５】
設定システム１０における通信器１００の第１無線通信部１０１は、赤外線の照射部が向けられた照明器具５０（ここでは、照明器具５４）に対して、第３要求情報を赤外線で送信する（ステップＳ３３）。
【０１３６】
設定システム１０における情報端末２００の制御部２０５は、照明器具５４から第１無線通信部２０１を介して、第１応答情報を受信する（ステップＳ３４）。
【０１３７】
操作部２０３が第３要求情報の送信を終了する旨の指示を受け付けると、複数（ここでは、２つ）の第３識別子（照明器具５３，５４にそれぞれ対応する２つの識別子）を含む第２変更情報を、コントローラ３０に第１無線通信部２０１を介して送信する（ステップＳ３５）。
【０１３８】
コントローラ３０の処理部３０４は、設定システム１０から受け取った第２変更情報に含まれる複数の第３識別子を用いて、設定情報を更新する第２更新処理を行う（ステップＳ３６）。具体的には、コントローラ３０の処理部３０４は、複数の第３識別子にそれぞれ対応する複数の照明器具５０（例えば、照明器具５３，５４）が属するグループ（ここでは、グループＡ１）から当該照明器具５３，５４を除外する。コントローラ３０の処理部３０４は、新たなグループ（例えばグループＡ４）に複数の第１識別子にそれぞれ対応する複数の照明器具５０（照明器具５３，５４）が属するように設定情報を更新する。
【０１３９】
（５−２）変形例２
上記実施形態では、複数のグループのうち１つのグループに既に属する照明器具５０に対して、当該照明器具５０の所属先を他のグループ又は新規グループとする構成としたが、この構成に限定されない。
【０１４０】
図１に示す複数の照明器具５０に含まれない照明器具、つまり新規に追加された照明器具（新規照明器具）に対して当該新規照明器具が属するグループを決定してもよい。
【０１４１】
まず、新規照明器具が既存のグループに追加する場合について説明する。
【０１４２】
設定システム１０における通信器１００の制御部１０４は、新規照明器具の識別子（第１識別子）を要求する第１要求情報を新規照明器具に送信する。
【０１４３】
情報端末２００の制御部２０５は、第１要求情報に対応する第１応答情報を、新規照明器具から第１無線通信部２０１を介して受け取る。制御部２０５は、新規照明器具の所属先となるグループの照明器具５０の識別子（第２識別子）を要求する第２要求情報の送信を指示する旨の情報を通信開始情報として、第２無線通信部２０２を介して通信器１００に送信する。このとき、制御部２０５は、新規照明器具から識別子（第１識別子）を受信した旨のメッセージ、及び新規照明器具が属するグループの照明器具５０を選択する旨のメッセージのうち一方のメッセージを、表示部２０４に表示させる。本変形例の第１応答情報は、新規照明器具の識別子（第４識別子）を含む。
【０１４４】
制御部２０５は、第２応答情報を、第２要求情報を受信した照明器具５０から第１無線通信部２０１を介して受け取る。このとき、制御部２０５は、第２要求情報を受信した照明器具５０から識別子（第２識別子）を受信した旨のメッセージを、表示部２０４に表示させる。本変形例では、第２応答情報は、第２応答情報の送信元である照明器具５０の識別子(第２識別子)を含む。
【０１４５】
制御部２０５は、第１識別子及び第２識別子の組を含む第１変更情報を、コントローラ３０に第１無線通信部２０１を介して送信して、コントローラ３０に設定情報を更新させる。
【０１４６】
コントローラ３０の処理部３０４は、第１変更情報に含まれる第１識別子及び第２識別子を用いて、第２識別子の照明器具５０が属するグループに第１識別子の新規照明器具が属するように、設定情報を更新する。具体的には、処理部３０４は、第２識別子を含むグループに、第１識別子を追加する。
【０１４７】
また、情報端末２００の制御部２０５は、動作モードとして追加モードが選択されると、新規グループに属する新規照明器具の識別子（第３識別子）を要求する第３要求情報の送信を指示する旨の情報を通信開始情報として、第２無線通信部２０２を介して通信器１００に送信する。
【０１４８】
設定システム１０における通信器１００の制御部１０４は、第３要求情報を新規照明器具に送信する。
【０１４９】
制御部２０５は、第３要求情報に対応する第３応答情報を、第３要求情報を受信した新規照明器具から第１無線通信部２０１を介して受け取る。このとき、制御部２０５は、新規照明器具の識別子（第３識別子）を受信した旨のメッセージを、表示部２０４に表示させる。本変形例では、第３応答情報は、新規照明器具の識別子（第３識別子）を含む。
【０１５０】
制御部２０５は、第３識別子を含む第２変更情報を、コントローラ３０に第１無線通信部２０１を介して送信して、コントローラ３０に設定情報を更新させる。
【０１５１】
コントローラ３０の処理部３０４は、第２変更情報に含まれる第３識別子を用いて、新規グループに第３識別子の新規照明器具が属するように、設定情報を更新する。具体的には、処理部３０４は、新規グループに、第３識別子を追加する。
【０１５２】
なお、本実施形態では、１つの新規照明器具を、既存のグループ又は新規のグループに追加する構成としたが、この構成に限定されない。複数の新規照明器具を、既存のグループ又は新規のグループに追加してもよい。
【０１５３】
例えば、複数の新規照明器具を既存のグループに追加する場合には、変形例１と同様に、設定システム１０は、複数の新規照明器具ごとに第１要求情報を送信し、第１要求情報を送信する度に第１応答情報を受信する。
【０１５４】
コントローラ３０の処理部３０４は、１又は複数の第１識別子と、第２識別子とを用いて、第２識別子の照明器具５０が属するグループに、１又は複数の新規照明器具のすべてが属するように、設定情報を更新する。
【０１５５】
また、複数の新規照明器具を新規グループに追加する場合には、変形例１と同様に、設定システム１０は、複数の新規照明器具ごとに第３要求情報を送信し、第３要求情報を送信する度に第３応答情報を受信する。
【０１５６】
コントローラ３０の処理部３０４は、１又は複数の第３識別子を用いて、新規グループに、１又は複数の新規照明器具のすべてが属するように、設定情報を更新する。
【０１５７】
（５−３）変形例３
上記実施形態では、設定システム１０は、各々が個別の装置である通信器１００と情報端末２００とから構成されるとしたが、この構成に限定されない。設定システム１０は、１つの装置から構成されてもよい。
【０１５８】
また、上記実施形態では、第１通信方式は赤外線を用いた無線通信による通信方式とする構成としたが、この構成に限定されない。第１通信方式は、第２通信方式による無線通信よりも指向性が高い無線通信の通信方式であればよい。
【０１５９】
また、上記実施形態では、第２通信方式は、小電力無線（特定小電力無線）による通信方式とする構成としたが、この構成に限定されない。第２通信方式は、第１通信方式による無線通信よりもより多いデータ量を送信するのに適した通信方式であればよい。要は、第１通信方式と、第２通信方式とは、送受信されるデータのデータ量に応じて異なっていることが好ましい。
【０１６０】
また、上記実施形態では、設定システム１０から照明器具５０へ情報を送信する場合の通信方式と、照明器具５０から設定システム１０へ送信する場合の通信方式とは、異なる通信方式とする構成としたが、この構成に限定されない。設定システム１０から照明器具５０へ情報を送信する場合の通信方式と、照明器具５０から設定システム１０へ送信する場合の通信方式とは同一の通信方式であってもよい。
【０１６１】
また、上記実施形態では、照明器具５０は、設定システム１０に情報（第１応答情報、第２応答情報、第３応答情報）を送信する際には、ブロードキャストで送信する構成としたが、この構成に限定されない。照明器具５０は、設定システム１０を送信先として指定して情報を送信してもよい。この場合、例えば、設定システム１０は、照明器具に要求情報（第１要求情報、第２要求情報、第３要求情報）を送信する場合には、当該要求情報に設定システム１０の識別子（情報端末２００の識別子）を含める。ここで、要求情報に含める設定システム１０（情報端末２００）の識別子は、例えばＩＰアドレス、Ｍａｃアドレス等である。
【０１６２】
また、上記実施形態では、コントローラ３０が制御する負荷として照明制御を一例として説明した。しかしながら、コントローラ３０が制御する負荷は、照明制御に限定されない。コントローラ３０が制御する負荷は、空調機器等の他の機器であってもよい。
【０１６３】
また、上記実施形態では、通信器１００と情報端末２００との間では、一例としてＢｌｕｅｔｏｏｔｈ（登録商標）に準拠した近距離無線通信を行う構成としたが、この構成に限定されない。通信器１００と情報端末２００との間の通信は、他の無線通信であってもよいし、有線通信であってもよい。
【０１６４】
（その他の変形例）
上記実施形態は、本開示の様々な実施形態の一つに過ぎない。上記実施形態は、本開示の目的を達成できれば、設計等に応じて種々の変更が可能である。また、負荷制御システム１と同様の機能は、グループ設定方法、コンピュータプログラム、又はプログラムを記録した記録媒体等で具現化されてもよい。
【０１６５】
一態様に係る負荷制御システム１のグループ設定方法は、コントローラ３０と、設定システム１０とを備える負荷制御システム１で用いられる。コントローラ３０は、複数のグループを含む設定情報を記憶し、複数のグループのうちいずれかのグループに各々が属する複数の負荷（照明器具５０）に対して複数のグループごとに制御する。グループ設定方法は、第１送信ステップと、第１受信ステップと、第２送信ステップと、第２受信ステップと、第３送信ステップと、処理ステップとを含む。第１送信ステップは、設定システム１０が、複数の負荷に含まれる第１負荷に、第１負荷の識別子である第１識別子を要求する第１要求情報を無線通信で送信する。第１受信ステップは、設定システム１０が、第１要求情報に対応し、かつ第１識別子を含む第１応答情報を無線通信で受信する。第２送信ステップは、設定システム１０が、複数のグループに含まれる負荷であって第１負荷とは異なる第２負荷に、第２負荷の識別子である第２識別子を要求する第２要求情報を無線通信で送信する。第２受信ステップは、設定システム１０が、第２要求情報に対応し、かつ第２識別子を含む第２応答情報を無線通信で受信する。第３送信ステップは、設定システム１０が、第１識別子と第２識別子との組を、コントローラ３０に送信する。処理ステップは、コントローラ３０が、第１識別子と第２識別子とを用いて、第１負荷が複数のグループのうち第１負荷が属する第１グループには属さず、第２負荷が属する第２グループに属するように、設定情報を更新する。
【０１６６】
別の一態様に係る負荷制御システム１のグループ設定方法は、コントローラ３０と、設定システム１０とを備える負荷制御システムで用いられる。コントローラ３０は、複数のグループを含む設定情報を記憶し、複数のグループのうちいずれかのグループに各々が属する複数の負荷（照明器具５０）に対して複数のグループごとに制御する。グループ設定方法は、第１送信ステップと、受信ステップと、第２送信ステップと、処理ステップとを含む。第１送信ステップは、設定システム１０が、複数の負荷に含まれる又は複数の負荷に含まれない負荷であって設定対象の負荷に、設定対象の負荷の識別子を要求する要求情報を無線通信で送信する。受信ステップは、設定システム１０が、要求情報に対応し、かつ識別子を含む応答情報を無線通信で受信する。第２送信ステップは、設定システム１０が、識別子をコントローラ３０に送信する。処理ステップは、コントローラ３０が、識別子を用いて、負荷が属し、設定情報に含まれる新たなグループを生成する。
【０１６７】
さらに別の一態様に係る負荷制御システム１のグループ設定方法は、コントローラ３０と、設定システム１０とを備える負荷制御システム１で用いられる。コントローラ３０は、複数のグループを含む設定情報を記憶し、複数のグループのうちいずれかのグループに各々が属する複数の負荷（照明器具５０）に対して複数のグループごとに制御する。グループ設定方法は、第１送信ステップと、第１受信ステップと、第２送信ステップと、第２受信ステップと、第３送信ステップと、処理ステップとを含む。第１送信ステップは、設定システム１０が、複数の負荷に含まれない第１負荷に、第１負荷の識別子である第１識別子を要求する第１要求情報を無線通信で送信する。第１受信ステップは、設定システム１０が、第１要求情報に対応し、かつ第１識別子を含む第１応答情報を無線通信で受信する。第２送信ステップは、設定システム１０が、複数のグループに含まれる第２負荷に、第２負荷の識別子である第２識別子を要求する第２要求情報を無線通信で送信する。第２受信ステップは、設定システム１０が、第２要求情報に対応し、かつ第２識別子を含む第２応答情報を無線通信で受信する。第３送信ステップは、設定システム１０が、第１識別子と第２識別子との組を、コントローラ３０に送信する。処理ステップは、コントローラ３０が、第１識別子と第２識別子とを用いて、第２負荷が属するグループに第１負荷が属するように、設定情報を更新する。
【０１６８】
一態様に係るプログラムは、コンピュータシステムを、上述したグループ設定方法のいずれかとして実行させるためのプログラムである。
【０１６９】
本開示における負荷制御システム１は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における負荷制御システム１としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１７０】
また、負荷制御システム１における設定システム１０及びコントローラ３０における複数の機能が、１つの筐体内に集約されていることは負荷制御システム１に必須の構成ではなく、負荷制御システム１における設定システム１０及びコントローラ３０の構成要素は、複数の筐体に分散して設けられていてもよい。さらに、負荷制御システム１の少なくとも一部の機能、例えば、設定システム１０の一部の機能又はコントローラ３０の一部の機能がクラウド（クラウドコンピューティング）等によって実現されてもよい。
【０１７１】
反対に、実施形態１において、複数の装置に分散されている負荷制御システム１の少なくとも一部の機能が、１つの筐体内に集約されていてもよい。例えば、管理装置２０とコントローラ３０とに分散されている負荷制御システム１の一部の機能が、１つの筐体内に集約されていてもよい。
【０１７２】
（まとめ）
以上説明したように、第１の態様のグループ設定方法は、負荷制御システム（１）で用いられる。負荷制御システム（１）は、コントローラ（３０）と、設定システム（１０）とを備える。コントローラ（３０）は、複数のグループ（例えば、グループＡ１〜Ａ３）を含む設定情報を記憶し、複数のグループのうちいずれかのグループに各々が属する複数の負荷（例えば、照明器具５０）に対して複数のグループごとに制御する。グループ設定方法は、第１送信ステップと、第１受信ステップと、第２送信ステップと、第２受信ステップと、第３送信ステップと、処理ステップとを含む。第１送信ステップは、設定システム（１０）が、複数の負荷に含まれる第１負荷に、第１負荷の識別子である第１識別子を要求する第１要求情報を無線通信で送信する。第１受信ステップは、設定システム（１０）が、第１要求情報に対応し、かつ第１識別子を含む第１応答情報を無線通信で受信する。第２送信ステップは、設定システム（１０）が、複数のグループに含まれる負荷であって第１負荷とは異なる第２負荷に、第２負荷の識別子である第２識別子を要求する第２要求情報を無線通信で送信する。第２受信ステップは、設定システム（１０）が、第２要求情報に対応し、かつ第２識別子を含む第２応答情報を無線通信で受信する。第３送信ステップは、設定システム（１０）が、第１識別子と第２識別子との組を、コントローラ（３０）に送信する。処理ステップは、コントローラ（３０）が、第１識別子と第２識別子とを用いて、第１負荷が複数のグループのうち第１負荷が属する第１グループ（例えば、グループＡ１）には属さず、第２負荷が属する第２グループ（例えば、グループＡ２）に属するように、設定情報を更新する。
【０１７３】
第１の態様によると、グループの構成の変更に必要な第１識別子及び２識別子を取得した後、グループの構成を変更する際に作業者と装置との間で対話を行う必要はないので、グループの構成を変更する作業をより簡易に行えることができる。
【０１７４】
第２の態様のグループ設定方法では、第１の態様において、第１送信ステップ及び第１受信ステップは、複数の第１負荷ごとに繰り返される。第３送信ステップは、複数の第１負荷にそれぞれ対応する複数の第１識別子と、第２識別子との組を、コントローラ（３０）に送信する。処理ステップは、複数の第１識別子と第２識別子とを用いて、複数の第１負荷のすべてが第２グループに属するように、設定情報を更新する。
【０１７５】
第２の態様によると、変更対象である複数の負荷に対して、グループの変更をまとめて行うことができる。
【０１７６】
第３の態様のグループ設定方法では、第１又は第２の態様において、第１送信ステップ及び第２送信ステップで行う無線通信の第１通信方式と、第１受信ステップ及び第２受信ステップで行う無線通信の第２通信方式とは、異なる方式である。
【０１７７】
第３の態様によると、通信に応じた通信方式を用いることができる。
【０１７８】
第４の態様のグループ設定方法では、第３の態様において、第１要求情報及び第２要求情報のそれぞれのデータ量は、第１応答情報及び第２応答情報のそれぞれのデータ量よりも少ない。第１通信方式と、第２通信方式とは、送受信されるデータのデータ量に応じて異なっている。
【０１７９】
第４の態様によると、送受信されるデータ量に応じた通信方式を用いることができる。
【０１８０】
第５の態様のグループ設定方法では、第３又は第４の態様において、第１通信方式による無線通信の指向性は、第２通信方式による無線通信の指向性よりも高い。
【０１８１】
第５の態様によると、第１要求情報の送信先である負荷及び第２要求情報の送信先である負荷を特定しやすくなる。
【０１８２】
第６の態様のグループ設定方法では、第５の態様において、第１通信方式は、赤外線を用いた通信方法である。
【０１８３】
第６の態様によると、第１要求情報の送信先である負荷及び第２要求情報の送信先である負荷を確実に特定できる。
【０１８４】
第７の態様のグループ設定方法は、負荷制御システム（１）で用いられる。負荷制御システム（１）は、コントローラ（３０）と、設定システム（１０）とを備える。コントローラ（３０）は、複数のグループ（例えば、グループＡ１〜Ａ３）を含む設定情報を記憶し、複数のグループのうちいずれかのグループに各々が属する複数の負荷（例えば、照明器具５０）に対して複数のグループごとに制御する。グループ設定方法は、第１送信ステップと、受信ステップと、第２送信ステップと、処理ステップとを含む。第１送信ステップは、設定システム（１０）が、複数の負荷に含まれる又は複数の負荷に含まれない負荷であって設定対象の負荷に、設定対象の負荷の識別子（第３識別子）を要求する要求情報を無線通信で送信する。受信ステップは、設定システム（１０）が、要求情報に対応し、かつ識別子を含む応答情報を無線通信で受信する。第２送信ステップは、設定システム（１０）が、識別子をコントローラ（３０）に送信する。処理ステップは、コントローラ（３０）が、識別子を用いて、負荷が属し、設定情報に含まれる新たなグループ（例えば、グループＡ４）を生成する。
【０１８５】
第７の態様によると、グループの構成の変更に必要な情報（第３識別子）を取得した後、グループの構成を変更する際に作業者と装置との間で対話を行う必要はないので、複数の負荷のグループの構成を変更する作業をより簡易に行えることができる。
【０１８６】
第８の態様のグループ設定方法では、第７の態様において、第１送信ステップ及び受信ステップは、複数の設定対象の負荷ごとに繰り返される。第２送信ステップは、複数の設定対象の負荷にそれぞれ対応する複数の識別子をコントローラ（３０）に送信する。処理ステップは、複数の識別子を用いて、複数の設定対象の負荷のすべてが属する新たなグループを生成する。
【０１８７】
第８の態様によると、変更対象である複数の負荷に対して、新たなグループへの登録をまとめて行うことができる。
【０１８８】
第９の態様のグループ設定方法は、負荷制御システム（１）で用いられる。負荷制御システム（１）は、コントローラ（３０）と、設定システム（１０）とを備える。コントローラ（３０）は、複数のグループ（例えば、グループＡ１〜Ａ３）を含む設定情報を記憶し、複数のグループのうちいずれかのグループに各々が属する複数の負荷（例えば、照明器具５０）に対して複数のグループごとに制御する。グループ設定方法は、第１送信ステップと、第１受信ステップと、第２送信ステップと、第２受信ステップと、第３送信ステップと、処理ステップとを含む。第１送信ステップは、設定システム（１０）が、複数の負荷に含まれない第１負荷に、第１負荷の識別子である第１識別子を要求する第１要求情報を無線通信で送信する。第１受信ステップは、設定システム（１０）が、第１要求情報に対応し、かつ第１識別子を含む第１応答情報を無線通信で受信する。第２送信ステップは、設定システム（１０）が、複数のグループに含まれる第２負荷に、第２負荷の識別子である第２識別子を要求する第２要求情報を無線通信で送信する。第２受信ステップは、設定システム（１０）が、第２要求情報に対応し、かつ第２識別子を含む第２応答情報を無線通信で受信する。第３送信ステップは、設定システム（１０）が、第１識別子と第２識別子との組を、コントローラ（３０）に送信する。処理ステップは、コントローラ（３０）が、第１識別子と第２識別子とを用いて、第２負荷が属するグループ（例えば、グループＡ２）に第１負荷が属するように、設定情報を更新する。
【０１８９】
第９の態様によると、グループの構成の変更に必要な情報（第１識別子、第２識別子）を取得した後、グループの構成を変更する際に作業者と装置との間で対話を行う必要はないので、複数の負荷のグループの構成を変更する作業をより簡易に行えることができる。
【０１９０】
第１０の態様の設定システム（１０）は、コントローラ（３０）及び複数の負荷（例えば、照明器具５０）と通信可能である。コントローラ（３０）は、複数のグループを含む設定情報を記憶し、かつ複数のグループ（例えば、グループＡ１〜Ａ３）のうちいずれかのグループに各々が属する複数の負荷に対して、複数のグループごとに制御する。設定システム（１０）は、第１送信部と、第１受信部と、第２送信部と、第２受信部と、第３送信部とを備える。第１送信部は、複数の負荷に含まれる第１負荷に、第１負荷の識別子である第１識別子を要求する第１要求情報を無線通信で送信する。第１受信部は、第１識別子を含む第１応答情報を無線通信で受信する。第２送信部は、複数のグループに含まれる負荷であって第１負荷とは異なる第２負荷に、第２負荷の識別子である第２識別子を要求する第２要求情報を無線通信で送信する。第２受信部は、第２識別子を含む第２応答情報を無線通信で受信する。第３送信部は、第１負荷が複数のグループのうち第１負荷が属する第１グループ（例えば、グループＡ１）には属さず、第２負荷が属する第２グループ（例えば、グループＡ２）に属するように、コントローラ（３０）に設定情報を更新させるために、第１識別子と第２識別子との組を、コントローラ（３０）に送信する。
【０１９１】
第１０の態様によると、グループの構成の変更に必要な第１識別子及び第２識別子を取得した後、グループの構成を変更する際に作業者と装置との間で対話を行う必要はないので、グループの構成を変更する作業をより簡易に行えることができる。
【０１９２】
第１１の態様の負荷制御システム（１）は、第１０の態様の設定システム（１０）と、コントローラ（３０）とを備える。コントローラ（３０）は、処理部（３０４）を備える。処理部（３０４）は、設定システム（１０）が備える第３送信部が送信した第１負荷の第１識別子と第２負荷の第２識別子とを用いて、第１負荷が複数のグループ（例えばグループＡ１〜Ａ３）のうち第１負荷が属する第１グループ（例えば、グループＡ１）には属さず、第２負荷が属する第２グループ（例えば、グループＡ２）に属するように、設定情報を更新する。
【０１９３】
第１１の態様によると、グループの構成を変更する作業をより簡易に行えることができる。
【０１９４】
第１２の態様のプログラムは、第１〜第９のいずれかの態様のグループ設定方法を、コンピュータに実行させるためのプログラムである。
【０１９５】
第１２の態様によると、グループの構成を変更する作業をより簡易に行えることができる。
【符号の説明】
【０１９６】
１    負荷制御システム
１Ａ    照明制御システム
１０    設定システム
３０    コントローラ
５０，５１〜５８    照明器具
１００    通信器
１０１    第１無線通信部（第１送信部、第２送信部）
２００    情報端末
２０１    第１無線通信部（第１受信部、第２受信部、第３送信部）
３０４    処理部
Ａ１〜Ａ４    グループ
【図１】
2020053808.tif 000003
【図２】
2020053808.tif 000004
【図３】
2020053808.tif 000005
【図４】
2020053808.tif 000006
【図５】
2020053808.tif 000007
【図６】
2020053808.tif 000008
【図７】
2020053808.tif 000009
【図８】
2020053808.tif 000010